(57)【要約】【課題】第１筐体と第２筐体を閉じた状態で１つのディスプレイに情報表示が可能であり、然も、両筐体を開いた状態では、２つのディスプレイの画面に跨って表示される画像の連続性を保つことが出来る携帯通信端末機を提供する。【解決手段】本発明に係る携帯通信端末機は、第１筐体１と第２筐体２とを互いに連結して構成され、第１筐体１の表面には第１ディスプレイ11が設置され、第２筐体２の表面には第２ディスプレイ21が設置され、第２筐体２によって第１ディスプレイ11の表面を覆うと共に第２ディスプレイ21の表面を露出させた閉じ位置と、第１ディスプレイ11の表面と第２ディスプレイ21の表面とを同一平面上に揃えると共に、両ディスプレイ11、21を互いに接近させた開き位置との間で、第１筐体１と第２筐体２とが互いに相対移動可能である。【選択図】図１
2011130466.tif 000002
【特許請求の範囲】
【請求項１】
第１筐体(１)と第２筐体(２)とが連結機構(３)によって互いに相対移動可能に連結され、第１筐体(１)の表面には第１ディスプレイ(11)が設置され、第２筐体(２)の表面には第２ディスプレイ(21)が設置され、第２筐体(２)によって第１ディスプレイ(11)の表面を覆うと共に第２ディスプレイ(21)の表面を露出させた閉じ位置と、第１ディスプレイ(11)の表面と第２ディスプレイ(21)の表面とを同一平面上に揃えると共に、両ディスプレイ(11)(21)を互いに接近させた開き位置との間で、第１筐体(１)と第２筐体(２)とが互いに相対移動可能であり、
第２筐体(２)には、第２ディスプレイ(21)を挟んで両側に、通話のためのスピーカ(62)とマイクロホン(63)が設置され、
第１筐体(１)と第２筐体(２)が開き位置の状態で、第１筐体(１)の第１ディスプレイ(11)と第２筐体(２)の第２ディスプレイ(21)には、両ディスプレイ(11)(21)の画面に跨って、連続する１枚の画像を表示することが出来ることを特徴とする携帯通信端末機。
【請求項２】
第２筐体(２)には、第２ディスプレイ(21)の少なくとも一部の表面を覆って、透光性を有する入力用タッチパネル(22)が設置されている請求項１に記載の携帯通信端末機。
【請求項３】
第１筐体(１)には、第１ディスプレイ(11)の表面の略全域を覆って、透光性を有する第１入力用タッチパネル(12)が設置されると共に、第２筐体(２)には、第２ディスプレイ(21)の表面の略全域を覆って、透光性を有する第２入力用タッチパネル(22)が設置されている請求項１に記載の携帯通信端末機。
【請求項４】
前記連結機構(３)は、第１筐体(１)の側面と第２筐体(２)の側面とを互いに連結する連結駒(31)を具え、該連結駒(31)には一対のピン(33)(34)が突設され、一方のピン(33)が一方の筐体に枢支されると共に、他方のピン(34)が他方の筐体にスライド可能に係合している請求項１乃至請求項３の何れかに記載の携帯通信端末機。
【発明の詳細な説明】
【技術分野】
【０００１】
本発明は、携帯電話機等の携帯通信端末機に関し、特に第１筐体と第２筐体のそれぞれにディスプレイを配備した２画面式の携帯通信端末機に関するものである。
【背景技術】
【０００２】
近年、携帯電話機においては、益々多機能化が進んでおり、これに伴ってディスプレイに表示すべき情報も多種多様となっているため、ディスプレイの大画面化が図られている。しかしながら、ディスプレイの画面の大きさは、筐体の大きさにより制限されるため、ディスプレイの大画面化にも限界がある。
【０００３】
ところで、携帯用の表示装置において、２つの筐体を折り畳み可能に連結して、両筐体の内面にそれぞれディスプレイを配備し、２画面によって多くの情報を表示することが提案されている(特許文献１)。
【０００４】
そこで、第１筐体と第２筐体を折り畳み可能に連結した折り畳み式携帯電話機において、第１筐体と第２筐体の内面にそれぞれディスプレイを配備する構成や、第１筐体と第２筐体をスライド可能に連結したスライド式携帯電話機において、第１筐体と第２筐体の表面にそれぞれディスプレイを配備する構成が考えられる。
【先行技術文献】
【特許文献】
【０００５】
【特許文献１】特開平１１−１６７３５４号公報
【発明の概要】
【発明が解決しようとする課題】
【０００６】
しかしながら、第１筐体と第２筐体の内面にそれぞれディスプレイを配備した折り畳み式携帯電話機においては、両筐体を閉じた状態では２つのディスプレイが隠れてしまうので、両筐体を閉じた状態で電話通信を行なうときの情報表示を可能とするためには、両筐体を閉じた状態で露出する面に、更に第３のディスプレイを配備する必要があり、構成が複雑となる問題がある。
一方、第１筐体と第２筐体の表面にそれぞれディスプレイを配備したスライド式携帯電話機においては、両筐体を開いた状態で２つのディスプレイには段差が生じるため、２つのディスプレイの画面に跨って画像の表示を行なった場合、画像が大きく２つに分断されてしまうため、特に連続する画像の場合に違和感が生じる問題があった。
【０００７】
そこで本発明の目的は、第１筐体と第２筐体からなる携帯通信端末機において、両筐体を閉じた状態では、第３のディスプレイを用いることなく通信時の情報表示が可能であり、然も、両筐体を開いた状態では、２つのディスプレイの画面に跨って画像を表示した場合に画像の連続性を保ち、２つのディスプレイに表示される画像を違和感のないものとすることが出来る携帯通信端末機を提供することである。
【課題を解決するための手段】
【０００８】
本発明に係る携帯通信端末機においては、第１筐体(１)と第２筐体(２)とが連結機構(３)によって互いに相対移動可能に連結され、第１筐体(１)の表面には第１ディスプレイ(11)が設置され、第２筐体(２)の表面には第２ディスプレイ(21)が設置されている。
そして、第１筐体(１)と第２筐体(２)は、第１ディスプレイ(11)の表面を覆うと共に第２ディスプレイ(21)の表面を露出させた閉じ位置と、第１ディスプレイ(11)の表面と第２ディスプレイ(21)の表面とを略同一平面上に揃えると共に、両ディスプレイ(11)(21)を互いに接近させた開き位置との間で、互いに相対移動可能である。
【０００９】
上記本発明の携帯通信端末機によれば、第１筐体(１)と第２筐体(２)を閉じた状態では、第１筐体(１)の表面に第２筐体(２)の裏面が重ね合わされて、第１ディスプレイ(11)は隠れることになるが、第２筐体(２)の表面に配備されている第２ディスプレイ(21)が露出しているので、通信時には、第２ディスプレイ(21)を用いて情報の表示が可能である。
又、第１筐体(１)と第２筐体(２)を開いた状態では、第１ディスプレイ(11)の画面と第２ディスプレイ(21)の画面とが略同一平面上に揃うと共に、両ディスプレイ(11)(21)の画面が互いに接近するので、２つのディスプレイの画面に跨って画像を表示した場合に画像の連続性を保つことが出来る。
【００１０】
又、第２筐体(２)には、第２ディスプレイ(21)の少なくとも一部の表面を覆って、透光性を有する入力用タッチパネル(22)が設置されている携帯通信端末機においては、第１筐体(１)と第２筐体(２)が互いに閉じ位置の状態で、第２筐体(２)の第２ディスプレイ(21)には、通信機能に関する表示が行なわれると共に、第２入力用タッチパネル(22)の操作によって、通信機能に関する情報の入力が可能となる。
又、第１筐体(１)と第２筐体(２)が開き位置の状態で、第１筐体(１)の第１ディスプレイ(11)と第２筐体(２)の第２ディスプレイ(21)には、両ディスプレイ(11)(21)の画面に跨った表示が行なわれる。
【００１１】
具体的構成において、第１筐体(１)には、第１ディスプレイ(11)の表面の略全域を覆って、第１入力用タッチパネル(12)が設置されると共に、第２筐体(２)には、第２ディスプレイ(21)の表面の略全域を覆って第２入力用タッチパネル(22)が設置されている。
該具体的構成によれば、第１筐体(１)と第２筐体(２)を開いた状態で、第１入力用タッチパネル(12)と第２入力用タッチパネル(22)とが略同一平面上に揃うと共に、第１ディスプレイ(11)と第２ディスプレイ(21)とが互いに接近するので、両ディスプレイ(11)(21)の画面に跨って複数の入力キーの画像(フルキーボード)を表示することにより、両入力用タッチパネル(12)(22)を用いた情報の入力が可能となる。
【００１２】
更に具体的な構成において、前記連結機構(３)は、第１筐体(１)の側面と第２筐体(２)の側面を互いに連結する連結駒(31)を具え、該連結駒(31)には一対のピン(33)(34)が突設され、一方のピン(33)が一方の筐体に枢支されると共に、他方のピン(34)が他方の筐体にスライド可能に係合している。
該具体的構成によれば、第１筐体(１)と第２筐体(２)が閉じ位置に設置された状態から、前記他方のピン(34)が前記他方の筐体に沿ってスライドすることによって該他方の筐体が前記一方の筐体の表面に沿って移動した後、該他方の筐体が前記一方のピン(33)を中心として回動することによって、第１筐体(１)と第２筐体(２)が開き位置に設置される。
【発明の効果】
【００１３】
本発明に係る携帯通信端末機によれば、第１筐体(１)と第２筐体(２)を閉じた状態では、第２筐体(２)の第２ディスプレイ(21)によって通信時の情報表示が可能であり、然も、両筐体(１)(２)を開いた状態では、両ディスプレイ(11)(21)の画面に跨って画像を表示した場合に画像の連続性を保ち、２つのディスプレイに表示される画像を違和感のないものとすることが出来る。
【図面の簡単な説明】
【００１４】
【図１】図１は、第１実施例の携帯電話機の開き動作を表わす一連の斜視図である。
【図２】図２は、同上の一連の側面図である。
【図３】図３は、該携帯電話機の断面図である。
【図４】図４は、該携帯電話機の分解斜視図である。
【図５】図５は、第２実施例の携帯電話機の開き動作を表わす一連の斜視図である。
【図６】図６は、該携帯電話機の分解斜視図である。
【図７】図７は、第１実施例及び第２実施例に採用されている電気的構成を表わすブロック図である。
【図８】図８は、閉じ状態での画像表示例を表わす平面図である。
【図９】図９は、開き状態での画像表示例を表わす平面図である。
【発明を実施するための形態】
【００１５】
以下、本発明を携帯電話機に実施した形態につき、図面に沿って具体的に説明する。
［第１実施例］
第１実施例の携帯電話機は、図１(ａ)〜(ｄ)に示す如く、それぞれ扁平な直方体状を呈する第１筐体(１)と第２筐体(２)とを連結機構(３)により互いに相対移動可能に連結して構成されている。
第１筐体(１)の表面には液晶表示パネルからなる第１ディスプレイ(11)が設置されると共に、第１ディスプレイ(11)の全面を覆って透明の第１入力用タッチパネル(12)が設置されている。
【００１６】
第２筐体(２)の表面には液晶表示パネルからなる第２ディスプレイ(21)が設置されると共に、該第２ディスプレイ(21)の全面を覆って透明の第２入力用タッチパネル(22)が設置されている。
又、第２筐体(２)の表面には、一方の端部にスピーカ(62)が設置されると共に、他方の端部にマイクロホン(63)が設置されている。
【００１７】
連結機構(３)は、図３に示す如く第１筐体(１)及び第２筐体(２)の両側にそれぞれ配備されている。各連結機構(３)は、図４に示す如く、第１筐体(１)の側面と第２筐体(２)の側面を互いに連結する連結駒(31)を具え、該連結駒(31)の本体(32)には一対のピン(33)(34)が突設されている。又、第１筐体(１)の両側面にはそれぞれ、第１筐体(１)の表面に沿って前後方向に伸びるガイド溝(36)が凹設され、第２筐体(２)の両側面の端部にはそれぞれピン孔(35)が凹設されている。
そして、連結駒(31)の一方のピン(33)が第２筐体(２)のピン孔(35)に相対回転可能に係合すると共に、連結機構(３)の他方のピン(34)が第１筐体(１)のガイド溝(36)にスライド可能に係合している。
【００１８】
上述の連結機構(３)の採用により、図１(ａ)及び図２(ａ)に示す如く第１筐体(１)の表面に第２筐体(２)の裏面を重ね合わせた閉じ位置から、図１(ｂ)及び図２(ｂ)に示す如く連結駒(31)がガイド溝(36)に沿ってスライドすることにより、第２筐体(２)が第１筐体(１)の表面に沿って移動し、図１(ｃ)及び図２(ｃ)に示す如く第２筐体(２)は第１筐体(１)の第１ディスプレイ(11)の大部分を露出させる位置に達する。その後、連結駒(31)が回転して、第２筐体(２)は図１(ｄ)及び図２(ｄ)に示す如く第１筐体(１)と同じ高さ位置まで回動する。
この結果、第１ディスプレイ(11)の表面と第２ディスプレイ(21)の表面とが同一平面上に揃うと共に、両ディスプレイ(11)(21)は互いに最も接近することになる。
【００１９】
尚、第２筐体(２)が図１(ｃ)及び図２(ｃ)に示す状態から図１(ｄ)及び図２(ｄ)に示す状態まで回動する過程で、第２筐体(２)の端部と第１筐体(１)の端部とが互いに干渉することのない様、両筐体(１)(２)の端部に加工が施され、或いはガイド溝(36)の案内による第１筐体(１)の回動軌跡に調整が加えられている。
【００２０】
上記携帯電話機において、第１筐体(１)と第２筐体(２)は、何れか一方の筐体を他方の筐体に対して相対移動させることにより、図１(ａ)に示す閉じ位置から図１(ｄ)に示す開き位置に移行し、或いは図１(ｄ)に示す開き位置から図１(ａ)に示す閉じ位置に移行することが出来る。
【００２１】
図７は、上記携帯電話機の電気的な構成を表わしており、マイクロコンピュータ等から構成される制御回路(61)には、電話通信のための通信回路(６)、受話用のスピーカ(62)、及び送話用のマイクロホン(63)の他、上述の第１ディスプレイ(11)、第１入力用タッチパネル(12)、第２ディスプレイ(21)及び第２入力用タッチパネル(22)が接続されている。
ここで、第１筐体(１)と第２筐体(２)の間の電気的な接続は、連結駒(31)の内部を貫通して伸びるリード線(図示省略)によって行なわれている。
【００２２】
上記携帯電話機においては、図１(ａ)に示す如く第１筐体(１)と第２筐体(２)とが閉じ位置の状態で電話通信モードが設定され、着信時には、図８に示す如く第２筐体(２)の第２ディスプレイ(21)に着信を報知する画像が表示される。そして、第２ディスプレイ(21)に表示されているオフフックキーの位置で第２入力用タッチパネル(22)をタッチ操作することにより、スピーカ(62)とマイクロホン(63)を用いた通話が可能となる。
尚、着信報知の際には、オフフックキーの表示された位置に拘わらず、タッチパネルのタッチ可能な位置、或いは、着信拒否のキー等の特定の箇所を除くタッチ可能な位置をタッチすることで、通知状態に移行する構成であってもよい。
【００２３】
一方、図１(ｄ)の如く第１筐体(１)と第２筐体(２)とが開き位置の状態では、ＴＶ受信モード、音楽再生モード、インターネット画面表示モード、フルキーボード表示モード等が設定され、図９に示す如く第１筐体(１)の第１ディスプレイ(11)と第２筐体(２)の第２ディスプレイ(21)に画像を表示することが可能となる。
例えば、図９に例示する様に第１ディスプレイ(11)と第２ディスプレイ(21)の２画面に跨って、連続する１枚の画像を表示した場合、第１ディスプレイ(11)の画面と第２ディスプレイ(21)の画面は同一平面上に揃っており、且つ互いに可及的に接近しているので、その画像の連続性は保たれることになる。
又、フルキーボード表示モードにおいては、第１ディスプレイ(11)の画面と第２ディスプレイ(21)の画面は同一平面上に揃っており、且つ互いに接近しているので、第１入力用タッチパネル(12)と第２入力用タッチパネル(22)に跨るキー操作をスムーズに行なうことが出来る。
【００２４】
［第２実施例］
第２実施例の携帯電話機は、図５(ａ)〜(ｄ)に示す如く、ベース(４)上にそれぞれ扁平な直方体状を呈する第１筐体(１)と第２筐体(２)とを設置して構成され、連結機構(３)によって両筐体(１)(２)が互いに相対移動可能に連結されている。
第１筐体(１)の表面には液晶表示パネルからなる第１ディスプレイ(11)が設置されると共に、第１ディスプレイ(11)の全面を覆って透明の第１入力用タッチパネル(12)が設置されている。
【００２５】
第２筐体(２)の表面には液晶表示パネルからなる第２ディスプレイ(21)が設置されると共に、該第２ディスプレイ(21)の全面を覆って透明の第２入力用タッチパネル(22)が設置されている。
又、第２筐体(２)の表面には、一方の端部にスピーカ(62)が設置されると共に、他方の端部にマイクロホン(63)が設置されている。
【００２６】
連結機構(３)は、図６に示す如くベース(４)を共通の構成要素として、第１筐体(１)及び第２筐体(２)の両側にそれぞれ配備されている。ベース(４)は、その両側に側壁(41)(41)を有し、各側壁(41)の内面には、第１筐体(１)の表面に沿う２本の水平部と両水平部を互いに連結する２本の垂直部とを有するガイド溝(42)が凹設されている。又、第１筐体(１)の両側面にはそれぞれ前後一対のピン(43)(43)が突設され、第２筐体(２)の両側面の端部にはそれぞれピン(44)が突設されている。
【００２７】
そして、第１筐体(１)のピン(43)(43)と第２筐体(２)のピン(44)とが、ベース(４)のガイド溝(42)に係合して、ベース(４)に対する第１筐体(１)の昇降が案内されると共に、第１筐体(１)の表面に沿う第２筐体(２)の往復移動が案内されている。ベース(４)の底面には、複数のバネ(45)が設置されて、第１筐体(１)を上昇方向に付勢している。
又、第１筐体(１)と第２筐体(２)には、互いに近接する位置に、互いに引き合う極性を有する一対のマグネット(５)(51)が配備されている。
【００２８】
上述の連結機構(３)の採用により、図５(ａ)に示す如く第１筐体(１)の表面に第２筐体(２)の裏面を重ね合わせた閉じ位置から、図５(ｂ)に示す如く第２筐体(２)がガイド溝(42)の水平部に沿ってスライドすることにより、第２筐体(２)は第１筐体(１)の表面に沿って移動し、図５(ｃ)に示す如く第２筐体(２)は第１筐体(１)の第１ディスプレイ(11)の大部分を露出させる位置に達する。その後、第１筐体(１)が前記バネ(45)により付勢されて、ガイド溝(42)の垂直部に沿ってスライドすることにより、第１筐体(１)は、図５(ｄ)に示す如く第２筐体(２)と同じ高さ位置まで上昇する。このとき、前記一対のマグネット(５)(51)が互いに引き合って、第１筐体(１)と第２筐体(２)とを互いに密接させる。
この結果、第１ディスプレイ(11)の表面と第２ディスプレイ(21)の表面とが同一平面上に揃うと共に、両ディスプレイ(11)(21)は互いに最も接近することになる。
【００２９】
上記携帯電話機においては、図５(ａ)に示す閉じ位置から、先ず第２筐体(２)を開き位置へ向けてスライドさせ、その後、第１筐体(１)を上昇させることによって、図５(ｄ)に示す開き位置に移行することが出来る、又、図５(ｄ)に示す開き位置から、先ず第１筐体(１)を下降させ、その後、第２筐体(２)を閉じ位置へ向けてスライドさせることによって、図５(ａ)に示す閉じ位置に移行することが出来る。
【００３０】
尚、上記携帯電話機の電気的な構成は、図７の通りであって、ベース(４)、第１筐体(１)及び第２筐体(２)の相互の電気的な接続は、フレキシブルリード(図示省略)によって行なわれている。
【００３１】
上記携帯電話機においても同様に、図５(ａ)に示す如く第１筐体(１)と第２筐体(２)とが閉じ位置の状態で電話通信モードが設定され、受信時には、図８に示す如く第２筐体(２)の第２ディスプレイ(21)に着信を報知する画像が表示され、スピーカ(62)とマイクロホン(63)を用いた通話が可能となる。
又、図５(ｄ)の如く第１筐体(１)と第２筐体(２)とが開き位置の状態では、ＴＶ受信モード、音楽再生モード、インターネット画面表示モード、フルキーボード表示モード等が設定され、図９に示す如く第１筐体(１)の第１ディスプレイ(11)と第２筐体(２)の第２ディスプレイ(21)に跨って、連続性を損なうことなく１枚の画像を表示することが出来る。
【００３２】
尚、本発明の各部構成は上記実施の形態に限らず、特許請求の範囲に記載の技術的範囲内で種々の変形が可能である。例えば、第２入力用タッチパネル(22)によってオフフック操作を行なう構成に替えて、例えば筐体の側面に操作キーを設置し、該操作キーによってオフフック操作を行なう構成を採用することも可能である。
又、連結機構(３)は、上述した構成に限らず、周知の種々の連結機構を利用して構成することが可能である。
【符号の説明】
【００３３】
(１)  第１筐体
(11)  第１ディスプレイ
(12)  第１入力用タッチパネル
(２)  第２筐体
(21)  第２ディスプレイ
(22)  第２入力用タッチパネル
(３)  連結機構
(31)  連結駒
(36)  ガイド溝
(４)  ベース
(42)  ガイド溝
(62)  スピーカ
(63)  マイクロホン
【図１】
2011130466.tif 000003
【図２】
2011130466.tif 000004
【図３】
2011130466.tif 000005
【図４】
2011130466.tif 000006
【図５】
2011130466.tif 000007
【図６】
2011130466.tif 000008
【図７】
2011130466.tif 000009
【図８】
2011130466.tif 000010
【図９】
2011130466.tif 000011